【手続補正書】
【提出日】平成24年8月16日(2012.8.16)
【手続補正１】
【補正対象書類名】特許請求の範囲
【補正対象項目名】全文
【補正方法】変更
【補正の内容】
【特許請求の範囲】
【請求項１】
１つ以上のレンズを１つ以上の光電子装置に位置合わせするための方法であって、
ベース及び外側リングを備えたほぼ円筒形の筐体を有するアライナー装置を提供し、ここで、該ベースは、第１の光電子装置用開口を有しており、該第１の光電子装置用開口は、ほぼ円形の形状を有し、前記外側リングと同軸であり、且つ、前記アライナー装置の中心軸と同軸であり、
前記第１の光電子装置用開口の中に第１の光電子装置を配置し、ここで、該第１の光電子装置は、前記第１の光電子装置用開口の中においてトランジショナル嵌合を提供する寸法の周辺部を有しており、前記第１の光電子装置用開口の周辺部は、アライメント面を提供し、前記第１の光電子装置用開口の該アライメント面は、前記第１の光電子装置を前記中心軸に対して位置合わせし、且つ、前記第１の光電子装置を前記アライナー装置に対して前記中心軸から離れて動かないように保持し、及び、
前記アライナー装置の前記外側リングに光学装置を嵌合し、ここで、前記光学装置と外側リングとが嵌合アライメント面を有しており、該嵌合アライメント面は、前記光学装置を前記光電子装置に位置合わせし、且つ、前記光学装置を前記アライナー装置に対して動かないように保持する
ことを含む、方法。
【請求項２】
前記アライナー装置を提供することが、前記第１の光電子装置用開口の中に形成された直線縁取り部分を有するアライナー装置を提供して、前記アライナー装置に対して回転動作しないように前記第１の光電子装置を保持することを含むことからなる、請求項１に記載の方法。
【請求項３】
前記光学装置を嵌合することが、レンズ装置を嵌合することを含み、該レンズ装置が、第１のレンズを含み、及び、前記レンズ装置及び外側リングの前記嵌合アライメント面が、前記第１のレンズを前記第１の光電子装置に更に位置合わせすることからなる、請求項１に記載の方法。
【請求項４】
前記アライナー装置を提供することが、前記筐体のベース内に第２の光電子装置用開口を更に有するアライナー装置を提供することを含み、
前記レンズ装置が、第２のレンズを含み、及び、
前記方法が、第２の光電子装置を前記第２の光電子装置用開口内に配置することを更に含み、前記嵌合アライメント面が、前記第２のレンズを前記第２の光電子装置に更に位置合わせすることからなる、請求項３に記載の方法。
【請求項５】
前記アライナー装置を提供することが、
円筒形部分を有する成形型を形成し、
前記第１の光電子装置用開口及び前記外側リングに対応するモールド機構を形成するために、旋盤上において前記成形型の前記円筒形部分を回転させ、及び、
前記成形型を用いて、前記アライナー装置の前記筐体を成形する
ことを含むことからなる、請求項１に記載の方法。
【請求項６】
前記旋盤上において前記円筒形部分を回転させることが、ダイヤモンドを回転させることを含むことからなる、請求項１に記載の方法。
【請求項７】
前記アライナー装置を提供することが、面取りされたエッジを有した中心円形開口を有するアライナー装置を提供することを含み、及び、
前記第１の光電子装置を前記第１の光電子装置用開口の中に配置することは、前記面取りされたエッジが、前記第１の光電子装置を前記第１の光電子装置用開口内へと導くことを含むことからなる、請求項１に記載の方法。
【請求項８】
前記アライナー装置を提供することが、前記筐体のベース内に第１の電子装置用開口を更に有するアライナー装置を提供することを含み、及び、
前記方法が、前記第１の電子装置用開口の中に第１の電子装置を配置することを更に含むことからなる、請求項１に記載の方法。
【請求項９】
前記アライナー装置を提供することが、前記筐体のベース内に第２の電子装置用開口を更に有するアライナー装置を提供することを含み、及び、
前記方法が、前記第２の電子装置用開口の中に第２の電子装置を配置することを更に含むことからなる、請求項８に記載の方法。
【請求項１０】
前記アライナー装置をほぼ平面の基板に取り付け、及び、
前記第１の光電子装置を前記基板に取り付ける
ことを更に含むことからなる、請求項１に記載の方法。
【請求項１１】
前記基板がプリント回路基板を含むことからなる、請求項１０に記載の方法。
【請求項１２】
前記アライナー装置を提供することが、２つ以上の直線縁取り部分を含む前記第１の光電子装置用開口を有するアライナー装置を提供することを含むことからなる、請求項２に記載の方法。
【請求項１３】
１つ以上のレンズを１つ以上の光電子装置に位置合わせするための方法であって、
ベース及び外側リングを備えたほぼ円筒形の筐体を有するアライナー装置を提供し、ここで、該ベースは、第１の光電子装置用開口及び第２の光電子装置用開口を有しており、該第１の光電子装置用開口は、ほぼ円形の形状を有し、前記外側リングと同軸であり、且つ、前記アライナー装置の中心軸と同軸であり、
前記第１の光電子装置用開口の中にほぼ四角形の形状を有した第１の光電子装置を配置し、ここで、該第１の光電子装置は、前記第１の光電子装置用開口の中においてトランジショナル嵌合を提供する寸法の周辺部を有しており、前記第１の光電子装置用開口の周辺部は、アライメント面を提供し、前記第１の光電子装置用開口の該アライメント面は、前記第１の光電子装置を前記中心軸に対して位置合わせし、且つ、前記第１の光電子装置を前記アライナー装置に対して前記中心軸から離れて動かないように保持し、
前記第２の光電子装置用開口の中にほぼ四角形の形状を有した第２の光電子装置を配置し、ここで、該第２の光電子装置は、前記第２の光電子装置用開口の中においてトランジショナル嵌合を提供する寸法の周辺部を有しており、前記第２の光電子装置用開口の周辺部は、アライメント面を提供し、前記第２の光電子装置用開口の該アライメント面は、前記第２の光電子装置を前記中心軸に対して位置合わせし、
前記アライナー装置の前記外側リングにレンズ装置を嵌合し、ここで、該レンズ装置は、第１のレンズ及び第２のレンズを含み、前記レンズ装置及び外側リングは、前記第１のレンズを前記第１の光電子装置に位置合わせするための、前記第２のレンズを前記第２の光電子装置に位置合わせするための、且つ、前記レンズ装置を前記アライナー装置に対して動かないように保持するための嵌合アライメント面を有しており、
前記アライナー装置をほぼ平面の基板に取り付け、
前記第１の光電子装置を前記基板に取り付け、及び、
前記第２の光電子装置を前記基板に取り付ける
ことを含む、方法。
【請求項１４】
前記アライナー装置を提供することが、前記筐体のベース内に第１の電子装置用開口を更に有するアライナー装置を提供することを含み、及び、
前記方法が、前記第１の電子装置用開口の中に第１の電子装置を配置することを更に含むことからなる、請求項１３に記載の方法。
【請求項１５】
前記アライナー装置を提供することが、前記筐体のベース内に第２の電子装置用開口を更に有するアライナー装置を提供することを含み、及び、
前記方法が、前記第２の電子装置用開口の中に第２の電子装置を配置することを更に含むことからなる、請求項１４に記載の方法。
【請求項１６】
１つ以上の光電子装置に位置合わせされる１つ以上のレンズを有するシステムであって、
ほぼ平面の基板と、
ベース及び外側リングを有したほぼ円筒形の筐体を有するアライナー装置であって、前記ベースは、前記基板上に実装されており、前記ベースは、第１の光電子装置用開口を有しており、該第１の光電子装置用開口は、ほぼ円形の形状を有し、前記外側リングと同軸であり、且つ前記アライナー装置の中心軸と同軸であることからなる、アライナー装置と、
前記第１の光電子装置用開口の中の前記基板上に実装された第１の光電子装置であって、前記第１の光電子装置は、前記第１の光電子装置用開口の中においてトランジショナル嵌合を提供する寸法の周辺部を有しており、前記第１の光電子装置用開口の周辺部は、アライメント面を提供し、前記第１の光電子装置用開口の該アライメント面は、前記第１の光電子装置を前記中心軸に対して位置合わせすることからなる、第１の光電子装置と、
前記アライナー装置の前記外側リングに装着されたレンズ装置であって、該レンズ装置は、第１のレンズを含み、前記レンズ装置及び外側リングは、前記第１のレンズを前記第１の光電子装置に位置合わせするための嵌合アライメント面を有することからなる、レンズ装置
とを備える、システム。
【請求項１７】
前記アライナー装置が、前記筐体のベース内に第２の光電子装置用開口を有し、
前記システムが、前記第２の光電子装置用開口内の前記基板上に実装された第２の光電子装置を更に備え、及び、
前記レンズ装置が、第２のレンズを更に含み、及び、前記レンズ装置及び外側リングの嵌合アライメント面が、前記第２のレンズを前記第２の光電子装置に位置合わせすることからなる、請求項１６に記載のシステム。
【請求項１８】
前記アライナー装置の前記第１の光電子装置用開口が、面取りされたエッジを有することからなる、請求項１６に記載のシステム。
【請求項１９】
前記アライナー装置の前記第１の光電子装置用開口の周辺部が、１つ以上の直線縁取り部分を含むことからなる、請求項１６に記載のシステム。
【請求項２０】
前記基板が、プリント回路基板を含むことからなる、請求項１６に記載のシステム。
【請求項２１】
前記アライナー装置が、前記筐体のベース内に第１の電子装置用開口を有し、及び、前記基板に装着された第３の開口の中に第１の電子装置を更に含むことからなる、請求項１６に記載のシステム。
【請求項２２】
前記アライナー装置が、前記筐体のベース内に第２の電子装置用開口を有し、及び、前記基板に装着された第４の開口の中に第２の電子装置を更に含むことからなる、請求項２１に記載のシステム。